(57)【要約】【課題】位置決めがしやすく接合強度を高めることができる建具、障子及びコーナーブロックを提供する。【解決手段】建具では、接合構造１０１は、縦框２１及び横框２２の一方の少なくとも端部２２ｅに形成された中空部２２ｓに内嵌されるとともに、内部に中空部４１ｓが形成された第一ブロック部材４と、縦框２１及び横框２２の他方の少なくとも端部２１ｅに形成された中空部２１ｓに内嵌される框側嵌合部３１と、第一ブロック部材４に内嵌されるブロック側嵌合部３２と、を有する第二ブロック部材３と、第一ブロック部材４と第二ブロック部材３とを、接着剤または両面テープ５２で接合するブロック間接合手段と、を有することを特徴とする。【選択図】図４
2020200668.tif 000002
【特許請求の範囲】
【請求項１】
四方枠状に形成された枠体と、
該枠体の内部に設けられた障子と、を備え、
該障子は、
上下方向に延び幅方向に離間して配置された一対の縦框と、前記幅方向に延び上下方向に離間して配置された一対の横框と、有する框体と、
該框体の内部に設けられたパネル材と、
前記縦框の前記上下方向の端部と前記横框の前記幅方向の端部とを接合する接合構造と、を有し、
該接合構造は、
前記縦框及び前記横框の一方の少なくとも端部に形成された中空部に内嵌されるとともに、内部に中空部が形成された第一ブロック部材と、
前記縦框及び前記横框の他方の少なくとも端部に形成された中空部に内嵌される框側嵌合部と、前記第一ブロック部材に内嵌されるブロック側嵌合部と、を有する第二ブロック部材と、
前記第一ブロック部材と前記第二ブロック部材とを、接着剤または両面テープで接合するブロック間接合手段と、を有することを特徴とする建具。
【請求項２】
前記接合構造は、
前記縦框及び前記横框の一方と前記第一ブロック部材とを、及び前記縦框及び前記横框の他方と前記第二ブロック部材とを、それぞれ接着剤または両面テープで接合するブロック框間接合手段を有する請求項１に記載の建具。
【請求項３】
前記ブロック側嵌合部の外面には、外方に向かって突出する第一係合部が設けられ、
前記第一ブロック部材には、前記第一係合部が係合可能な第一係合孔が形成されている請求項１または２に記載の建具。
【請求項４】
前記第一ブロック部材及び前記框側嵌合部の外面には、外方に向かって突出する第二係合部がそれぞれ設けられ、
前記縦框及び前記横框には、対応する前記第二係合部が係合可能な第二係合孔が形成されている請求項１から３のいずれか一項に記載の建具。
【請求項５】
前記第一ブロック部材は、前記框体の屋外側及び屋内側の一方の見付け面上に配置され、前記縦框と前記横框との境界部を覆う第一目隠し部を有し、
前記第二ブロック部材は、前記框体の屋外側及び屋内側の他方の見付け面上に配置され、前記縦框と前記横框との境界部を覆う第二目隠し部を有する請求項１から４のいずれか一項に記載の建具。
【請求項６】
前記ブロック側嵌合部の外面には、外方に向かって突出する第一リブが設けられ、
該第一リブは、前記第一ブロック部材の内面に当接可能とされている請求項１から５のいずれか一項に記載の建具。
【請求項７】
前記框側嵌合部の外面及び前記第一ブロック部材の外面には、外方に向かって突出する第二リブが設けられ、
前記第一ブロック部材の前記第二リブは前記縦框及び前記横框の一方の内面に当接可能であるとともに、前記框側嵌合部の前記第二リブは前記縦框及び前記横框の他方の内面に当接可能である請求項１から６のいずれか一項に記載の建具。
【請求項８】
上下方向に延び幅方向に離間して配置された一対の縦框と、前記幅方向に延び上下方向に離間して配置された一対の横框と、有する框体と、
該框体の内部に設けられたパネル材と、
前記縦框の前記上下方向の端部と前記横框の前記幅方向の端部とを接合する接合構造と、備え、
該接合構造は、
前記縦框及び前記横框の一方の少なくとも端部に形成された中空部に内嵌されるとともに、内部に中空部が形成された第一ブロック部材と、
前記縦框及び前記横框の他方の少なくとも端部に形成された中空部に内嵌される框側嵌合部と、前記第一ブロック部材に内嵌されるブロック側嵌合部と、を有する第二ブロック部材と、
前記第一ブロック部材と前記第二ブロック部材とを、接着剤または両面テープで接合するブロック間接合手段と、を有することを特徴とする障子。
【請求項９】
上下方向に延びる縦框、及び幅方向に延びる横框の一方の少なくとも端部に形成された中空部に内嵌されるとともに、内部に中空部が形成された第一ブロック部材と、
前記縦框及び前記横框の他方の少なくとも端部に形成された中空部に内嵌される框側嵌合部と、前記第一ブロック部材に内嵌されるブロック側嵌合部と、を有する第二ブロック部材と、を備え、
前記第一ブロック部材と前記第二ブロック部材とは、接着剤または両面テープで接合可能とされていることを特徴とするコーナーブロック。
【発明の詳細な説明】
【技術分野】
【０００１】
本発明は、建具、障子及びコーナーブロックに関するものである。
【背景技術】
【０００２】
従来から、建具の框や額縁の角部のような縦桟の端部と横桟の端部とは、コーナーブロックを介して接合されていることがある。
【０００３】
例えば、下記の引用文献１では、コーナーブロックの縦部材が縦額縁の空洞部に挿入され、コーナーブロックの横部材が横額縁の空洞部に挿入されている。縦部材に形成された挿入穴に横部材から突出する脚部が挿入されるとともに、縦部材と横部材とはねじ止めされている。縦額縁と横額縁とを接合する際には、横額縁に設けられた横部材の脚部を縦額縁に設けられた縦部材の空洞部に挿入すると、脚部が空洞部に案内されるため、縦部材と横部材との相対的な位置決めがしやすい。
【０００４】
また、下記の特許文献２では、コーナーブロックの縦部材が縦框のホローに挿入され、コーナーブロックの横部材が横框のホローに挿入され、縦部材と横部材とは互いにねじ止めされている。
【先行技術文献】
【特許文献】
【０００５】
【特許文献１】実公昭５８−０５６３１１号公報
【特許文献２】実公昭６１−０１５１９６号公報
【発明の概要】
【発明が解決しようとする課題】
【０００６】
しかしながら、特許文献１，２のようにコーナーブロックの縦部材と横部材とをねじ止めする方法では、縦部材及び横部材が、ねじ止めする際に回転して設定位置からずれた位置に配置されてしまい、縦框と横框との突き合わせ部分に段差が生じてしまうという問題点がある。さらに、縦部材と横部材とがずれてしまうと、縦框と横框との接合強度が弱くなってしまうという問題点がある。
【０００７】
そこで、本発明は、上記事情に鑑みてなされたものであり、位置決めがしやすく接合強度を高めることができる建具、障子及びコーナーブロックを提供する。
【課題を解決するための手段】
【０００８】
上記目的を達成するために、本発明は以下の手段を採用している。
すなわち、本発明に係る建具は、四方枠状に形成された枠体と、該枠体の内部に設けられた障子と、を備え、該障子は、上下方向に延び幅方向に離間して配置された一対の縦框と、前記幅方向に延び上下方向に離間して配置された一対の横框と、有する框体と、該框体の内部に設けられたパネル材と、前記縦框の前記上下方向の端部と前記横框の前記幅方向の端部とを接合する接合構造と、を有し、該接合構造は、前記縦框及び前記横框の一方の少なくとも端部に形成された中空部に内嵌されるとともに、内部に中空部が形成された第一ブロック部材と、前記縦框及び前記横框の他方の少なくとも端部に形成された中空部に内嵌される框側嵌合部と、前記第一ブロック部材に内嵌されるブロック側嵌合部と、を有する第二ブロック部材と、前記第一ブロック部材と前記第二ブロック部材とを、接着剤または両面テープで接合するブロック間接合手段と、を有することを特徴とする。
【０００９】
このように構成された建具では、縦框及び横框の一方の中空部に内嵌された第一ブロック部材に、縦框及び横框の他方の中空部に内嵌された第二ブロック部材のブロック側嵌合部を内嵌されている。第一ブロック部材にブロック側嵌合部を内嵌する際に、ブロック側嵌合部を第一ブロック部材の中空部に挿入するだけでよいため、施工がしやすい。さらに、ブロック側嵌合部は第一ブロック部材に案内されるため、第一ブロック部材と第二ブロック部材との間での位置決めがしやすい。
また、第一ブロック部材と第二ブロック部材とは、接着剤または両面テープで接合されている。よって、第一ブロック部材と第二ブロック部材との接合位置の位置ずれがなく、第一ブロック部材と第二ブロック部材との接合強度を高めることができる。
【００１０】
また、本発明に係る建具では、前記接合構造は、前記縦框及び前記横框の一方と前記第一ブロック部材とを、及び前記縦框及び前記横框の他方と前記第二ブロック部材とを、それぞれ接着剤または両面テープで接合するブロック框間接合手段を有することが好ましい。
【００１１】
このように構成された建具では、縦框及び横框の一方と第一ブロック部材とは、接着剤または両面テープで接合されている。縦框及び横框の他方と第二ブロック部材とは、接着剤または両面テープで接合されている。よって、縦框及び横框の一方と第一ブロック部材との接合位置の位置ずれがないとともに、縦框及び横框の他方と第二ブロック部材との接合位置の位置ずれがない。したがって、框体と第一ブロック部材及び第二ブロック部材（以下、コーナーブロックと称することがある）との接合強度を高めることができる。
【００１２】
また、本発明に係る建具は、前記ブロック側嵌合部の外面には、外方に向かって突出する第一係合部が設けられ、前記第一ブロック部材には、前記第一係合部が係合可能な第一係合孔が形成されていてもよい。
【００１３】
このように構成された建具では、ブロック側嵌合部の外面に設けられた第一係合部は、第一ブロック部材に形成された第一係合孔に係合されている。よって、第一ブロック部材と第二ブロック部材との間での位置ずれを抑制することができるともに、第一ブロック部材と第二ブロック部材とを容易に接合することができる。
【００１４】
また、本発明に係る建具は、前記第一ブロック部材及び前記框側嵌合部の外面には、外方に向かって突出する第二係合部がそれぞれ設けられ、前記縦框及び前記横框には、対応する前記第二係合部が係合可能な第二係合孔が形成されていてもよい。
【００１５】
このように構成された建具では、第一ブロック部材及び第二ブロック部材の外面に設けられた第二係合部は、縦框及び横框に形成された第二係合孔に係合されている。よって、コーナーブロックと框体との間での位置ずれを抑制することができるともに、コーナーブロックと框体とを容易に接合することができる。
【００１６】
また、本発明に係る建具では、前記第一ブロック部材は、前記框体の屋外側及び屋内側の一方の見付け面上に配置され、前記縦框と前記横框との境界部を覆う第一目隠し部を有し、前記第二ブロック部材は、前記框体の屋外側及び屋内側の他方の見付け面上に配置され、前記縦框と前記横框との境界部を覆う第二目隠し部を有していてもよい。
【００１７】
このように構成された建具では、第一ブロック部材の第一目隠し部及び第二ブロック部材の第二目隠し部により、屋外側の面及び屋内側の面における縦框と横框との隙間を隠すことができる。よって、縦框と横框との境界部の外観を向上させることができるとともに、境界部からの雨水の浸入を抑制することができる。
また、框体の屋外側の見付け面の外観と屋内側の見付け面の外観とが異なる場合には、第一目隠し部の外観を框体の屋外側及び屋内側の一方の外観に合わせて、第二目隠し部の外観を框体の屋外側及び屋内側の他方の外観に合わせればよい。これにより、框体の屋内外で外観が異なる場合にも、第一目隠し部及び第二目隠し部の外観を框体の外観に合わせて、外観の統一性を高めることができる。
【００１８】
また、本発明に係る建具は、前記ブロック側嵌合部の外面には、外方に向かって突出する第一リブが設けられ、該第一リブは、前記第一ブロック部材の内面に当接可能とされていてもよい。
【００１９】
このように構成された建具では、ブロック側嵌合部の外面に設けられた第一リブは、第一ブロック部材の内面に当接している。よって、第一ブロック部材のブロック側嵌合部が第二ブロック部材の内部でがたついたり、捩れたりすることが抑制される。
【００２０】
また、本発明に係る建具は、前記框側嵌合部の外面及び前記第一ブロック部材の外面には、外方に向かって突出する第二リブが設けられ、前記第一ブロック部材の前記第二リブは前記縦框及び前記横框の一方の内面に当接可能であるとともに、前記框側嵌合部の前記第二リブは前記縦框及び前記横框の他方の内面に当接可能であってもよい。
【００２１】
このように構成された建具では、框側嵌合部の外面及び第一ブロック部材の外面の外面に設けられた第二リブは、框体の内面に当接している。よって、コーナーブロックが框体の内部でがたついたり、捩れたりすることが抑制される。
【００２２】
また、本発明に係る障子は、上下方向に延び幅方向に離間して配置された一対の縦框と、前記幅方向に延び上下方向に離間して配置された一対の横框と、有する框体と、該框体の内部に設けられたパネル材と、前記縦框の前記上下方向の端部と前記横框の前記幅方向の端部とを接合する接合構造と、備え、該接合構造は、前記縦框及び前記横框の一方の少なくとも端部に形成された中空部に内嵌されるとともに、内部に中空部が形成された第一ブロック部材と、前記縦框及び前記横框の他方の少なくとも端部に形成された中空部に内嵌される框側嵌合部と、前記第一ブロック部材に内嵌されるブロック側嵌合部と、を有する第二ブロック部材と、前記第一ブロック部材と前記第二ブロック部材とを、接着剤または両面テープで接合するブロック間接合手段と、を有することを特徴とする。
【００２３】
このように構成された障子では、縦框及び横框の一方の中空部に内嵌された第一ブロック部材に、縦框及び横框の他方の中空部に内嵌された第二ブロック部材のブロック側嵌合部を内嵌されている。第一ブロック部材にブロック側嵌合部を内嵌する際に、ブロック側嵌合部を第一ブロック部材の中空部に挿入すると、ブロック側嵌合部は第一ブロック部材に案内されるため、第一ブロック部材と第二ブロック部材との間での位置決めがしやすい。
また、第一ブロック部材と第二ブロック部材とは、接着剤または両面テープで接合されている。よって、第一ブロック部材と第二ブロック部材との接合位置の位置ずれがなく、第一ブロック部材と第二ブロック部材との接合強度を高めることができる。
【００２４】
また、本発明に係るコーナーブロックは、上下方向に延びる縦框、及び幅方向に延びる横框の一方の少なくとも端部に形成された中空部に内嵌されるとともに、内部に中空部が形成された第一ブロック部材と、前記縦框及び前記横框の他方の少なくとも端部に形成された中空部に内嵌される框側嵌合部と、前記第一ブロック部材に内嵌されるブロック側嵌合部と、を有する第二ブロック部材と、を備え、前記第一ブロック部材と前記第二ブロック部材とは、接着剤または両面テープで接合可能とされていることを特徴とする。
【００２５】
このように構成されたコーナーブロックでは、第一ブロック部材にブロック側嵌合部を内嵌する際に、ブロック側嵌合部を第一ブロック部材の中空部に挿入すると、ブロック側嵌合部は第一ブロック部材に案内されるため、第一ブロック部材と第二ブロック部材との間での位置決めがしやすい。
また、第一ブロック部材と第二ブロック部材とは、接着剤または両面テープで接合されている。よって、第一ブロック部材と第二ブロック部材との接合位置の位置ずれがなく、第一ブロック部材と第二ブロック部材との接合強度を高めることができる。
【発明の効果】
【００２６】
本発明に係る建具、障子及びコーナーブロックによれば、位置決めがしやすく接合強度を高めることができる。
【図面の簡単な説明】
【００２７】
【図１】本発明の一実施形態に係る建具を屋内側から見た正面図である。
【図２】図１のＡ−Ａ線断面図である。
【図３】図２のＢ−Ｂ線断面図である。
【図４】本発明の一実施形態に係る障子の接合構造の分解斜視図である。
【図５】本発明の一実施形態に係る障子の接合構造を一部分解した状態を斜め上方から見た分解斜視図である。
【図６】図１のＣ−Ｃ線断面図である。
【図７】図１のＤ−Ｄ線断面図である。
【図８】本発明の一実施形態に係る障子の接合構造を一部分解した状態を斜め下方から見た分解斜視図である。
【図９】本発明の一実施形態に係る障子のコーナーブロックの斜視図である。
【図１０】本発明の一実施形態の変形例に係る建具の縦框と横框との接合構造を示す斜視図である。
【図１１】図１０のＥ−Ｅ線断面図である。
【図１２】図１０のＦ−Ｆ線断面図である。
【図１３】本発明の一実施形態の変形例に係る障子のコーナーブロックの斜視図である。
【図１４】本発明の一実施形態の変形例に係る障子の接合構造を一部分解した状態を斜め上方から見た分解斜視図である。
【発明を実施するための形態】
【００２８】
以下、本発明の一実施形態に係る引違いサッシについて、図１から図９に基づいて説明する。
図１は、本発明の一実施形態に係る建具を屋内側から見た正面図である。
図１に示すように、引違いサッシ（建具）１００は、建築物の開口部Ｗに設けられ、四方枠状に形成された枠体１と、枠体１の内部に設けられた２枚の障子２と、を備えている。２枚の障子２のうち、屋外側に配置された障子２を外障子２Ａと称し、屋内側に配置された障子２を内障子２Ｂと称することがある。
なお、以下の説明において、屋外側と屋内側とを結ぶ方向を屋内外方向と称する。また、屋内外方向と直交する方向のうち水平方向に沿う方向を幅方向と称する。また、幅方向において、引違いサッシ１００の中央側に向かう方向を内側と称し、引違いサッシ１００の端部側に向かう方向を外側と称する。
【００２９】
図２は、図１のＡ−Ａ線断面図である。図３は、図２のＢ−Ｂ線断面図である。
図２及び図３に示すように、枠体１は、上下方向に延びる一対の縦枠１１と、幅方向に延びる上枠１２及び下枠１３と、を有している。上枠１２は、一対の縦枠１１の上端部を連結している。下枠１３は、一対の縦枠１１の下端部を連結している。
【００３０】
外障子２Ａ及び内障子２Ｂは、枠体１に対して幅方向にスライド可能に設けられている。外障子２Ａ及び内障子２Ｂは、各障子２が閉じた状態で、枠体１内を閉塞するように配置されている。
【００３１】
図１に示すように、各障子２は、四方枠状に形成された框体２０と、框体２０の内部に納められたガラス（パネル材）２９と、を有している。なお、本実施形態では、框体２０の内部にガラス２９が納められているが、パネル状の板材等が納められていてもよい。
【００３２】
框体２０は、上下方向に延在する一対の縦框２１と、幅方向に延びる一対の横框２２と、を有している。本実施形態では、框体２０は、アルミニウム等の金属材料で構成されている。
【００３３】
一対の縦框２１のうち、戸先側に配置されるのが戸先框２１Ａとされ、幅方向において戸先側と反対側に配置されるのが召合せ框２１Ｂとされている。
【００３４】
一対の横框２２のうち、上側に配置されるのは上框２２Ａとされ、下側に配置されるのが下框２２Ｂとされている。
【００３５】
縦框２１と横框２２との接合構造１０１について説明する。
縦框２１の上下端部２１ｅ及び横框２２の幅方向の両端部２２ｅは、それぞれ斜め方向にカットされている。
【００３６】
図４は、障子２の接合構造１０１の分解斜視図である。
具体的には、図４に示すように、縦框２１の端部２１ｅは、延在方向の外側（上端部では上方、下端部では下方）に向かうにしたがって次第に障子２の幅方向の外側に向かうように傾斜している。横框２２の端部２２ｅは、幅方向の外側に向かうにしたがって次第に障子２の高さ方向（上下方向）の外側に向かうように傾斜している。換言すると、縦框２１の端部２１ｅ及び横框２２の端部２２ｅは、縦框２１及び横框２２の延在方向に対して傾斜して形成されている。
【００３７】
縦框２１の端部２１ｅと横框２２の端部２２ｅ（以下、境界部２３と称することがある）とは、対向配置されている。
【００３８】
図４では、縦框２１と横框２２との接合構造１０１の一例として、戸先框２１Ａと下框２２Ｂとの接合部分を示している。図４に基づいて、縦框２１と横框２２との接合構造１０１について説明するが、戸先框２１Ａと上框２２Ａとの接合部分、召合せ框２１Ｂと上框２２Ａとの接合部分及び召合せ框２１Ｂと下框２２Ｂとの接合部分も同様の構成である。
【００３９】
縦框２１と横框２２との接合構造１０１は、コーナーブロック６と、両面テープ（ブロック框間接合手段）５１と、両面テープ（ブロック間接合手段）５２と、両面テープ（ブロック框間接合手段）５３と、を備えている。コーナーブロック６は、縦框２１に内嵌される縦ブロック（第二ブロック部材）３と、横框２２に内嵌される横ブロック（第一ブロック部材）４と、を備えている。
【００４０】
縦框２１は、屋外側縦板部２１１と、屋内側縦板部２１２と、第一連結縦板部２１３と、第二連結縦板部２１４と、を有している。屋外側縦板部２１１、屋内側縦板部２１２、第一連結縦板部２１３及び第二連結縦板部２１４は、それぞれ板状に形成されている。
【００４１】
屋外側縦板部２１１及び屋内側縦板部２１２は、板厚方向を屋内外方向に向けて配置されている。屋内側縦板部２１２は、屋外側縦板部２１１よりも屋内側に配置されている。
【００４２】
第一連結縦板部２１３及び第二連結縦板部２１４は、板厚方向を幅方向に向けて配置されている。第二連結縦板部２１４は、第一連結縦板部２１３よりも幅方向の内側に配置されている。
【００４３】
屋外側縦板部２１１、屋内側縦板部２１２、第一連結縦板部２１３及び第二連結縦板部２１４により、上下方向に連続する中空の縦ホロー部（中空部）が２１ｓ形成されている。縦ホロー部２１ｓは、平面視矩形状をなしている。
【００４４】
縦ブロック３は、縦筒部（框側嵌合部）３１と、内側横筒部（ブロック側嵌合部）３２と、縦側斜体部３３と、を有している。本実施形態では、縦ブロック３は、樹脂部材で構成されている。
【００４５】
縦筒部３１は、上下方向に延びる角筒状をなしている。縦筒部３１は、縦框２１の縦ホロー部２１ｓに内嵌されている。内側横筒部３２は、幅方向に延びる角筒状をなしている。
【００４６】
縦筒部３１の下端部は、下方に向かうにしたがって次第に幅方向の外側に向かうように傾斜（斜めにカット）されている。内側横筒部３２の幅方向の外側の端部は、下方に向かうにしたがって次第に幅方向の外側に向かうように傾斜（斜めにカット）されている。縦筒部３１の下端部と内側横筒部３２の幅方向の外側の端部とは、接合されている。
【００４７】
横框２２は、屋外側横板部２２１と、屋内側横板部２２２と、第一連結横板部２２３と、第二連結横板部２２４と、を有している。屋外側横板部２２１、屋内側横板部２２２、第一連結横板部２２３及び第二連結横板部２２４は、それぞれ板状に形成されている。
【００４８】
屋外側横板部２２１及び屋内側横板部２２２は、板厚方向を屋内外方向に向けて配置されている。屋内側横板部２２２は、屋外側横板部２２１よりも屋内側に配置されている。
【００４９】
第一連結横板部２２３及び第二連結横板部２２４は、板厚方向を上下方向に向けて配置されている。第二連結横板部２２４は、第一連結横板部２２３よりも下方に配置されている。
【００５０】
屋外側横板部２２１、屋内側横板部２２２、第一連結横板部２２３及び第二連結横板部２２４により、幅方向に連続する中空の横ホロー部（中空部）２２ｓが形成されている。横ホロー部２２ｓは、屋内外方向に沿う鉛直断面で矩形状をなしている。
【００５１】
横ブロック４は、外側横筒部４１と、横側斜体部４２と、を有している。本実施形態では、横ブロック４は、樹脂部材で構成されている。
【００５２】
外側横筒部４１は、幅方向に延びる角筒状をなしている。外側横筒部４１の幅方向の外側の端部は、下方に向かうにしたがって次第に幅方向の外側に向かうように傾斜（斜めにカット）されている。外側横筒部４１の内部には、幅方向に連続するブロック空間部（中空部）４１ｓが形成されている。
【００５３】
外側横筒部４１は、横框２２の横ホロー部２２ｓに内嵌されている。外側横筒部４１のブロック空間部４１ｓには、縦ブロック３の内側横筒部３２が内嵌されている。
【００５４】
次に、縦ブロック３の構成について詳細に説明する。
図５は、障子２の接合構造１０１を一部分解した状態を斜め上方から見た分解斜視図である。
図５に示すように、縦筒部３１は、第一縦ブロック板部３１１と、第二縦ブロック板部３１２と、第三縦ブロック板部３１３と、第四縦ブロック板部３１４と、を有している。第一縦ブロック板部３１１、第二縦ブロック板部３１２、第三縦ブロック板部３１３及び第四縦ブロック板部３１４は、それぞれ板状に形成されている。
【００５５】
第一縦ブロック板部３１１及び第二縦ブロック板部３１２は、板厚方向を屋内外方向に向けて配置されている。第二縦ブロック板部３１２は、第一縦ブロック板部３１１よりも屋内側に配置されている。
【００５６】
第三縦ブロック板部３１３及び第四縦ブロック板部３１４は、板厚方向を幅方向に向けて配置されている。第四縦ブロック板部３１４は、第三縦ブロック板部３１３よりも幅方向の内側に配置されている。
【００５７】
図６は、図１のＣ−Ｃ線断面図である。
図６に示すように、縦筒部３１の平断面形状は、縦框２１の縦ホロー部２１ｓの平断面形状よりも僅かに小さい。
【００５８】
縦筒部３１の第一縦ブロック板部３１１、第二縦ブロック板部３１２、第三縦ブロック板部３１３及び第四縦ブロック板部３１４には、それぞれ外方に向かって突出する複数のリブ３１ｒ（第二リブ）が設けられている。リブ３１ｒは、上下方向（縦筒部３１の延在方向）に沿って延びている（図５参照）。
【００５９】
各リブ３１ｒは、縦框２１の縦ホロー部２１ｓの対応する板部の内面に当接している。具体的には、第一縦ブロック板部３１１のリブ３１ｒは、屋外側縦板部２１１における屋内側を向く面に当接している。第二縦ブロック板部３１２のリブ３１ｒは、屋内側縦板部２１２における屋外側を向く面に当接している。第三縦ブロック板部３１３のリブ３１ｒは、第一連結縦板部２１３における幅方向の内側を向く面に当接している。第四縦ブロック板部３１４のリブ３１ｒは、第二連結縦板部２１４における幅方向の外側を向く面に当接している。
【００６０】
縦筒部３１の第四縦ブロック板部３１４には、幅方向の内側に向かって突出する係合突起（第二係合部）３１ａが形成されている。縦框２１の第二連結縦板部２１４には、幅方向に貫通する係合孔（第二係合孔）２１ｈが形成されている。縦筒部３１の係合突起３１ａは、縦框２１の係合孔３１ｈに係合されている。
【００６１】
図５に示すように、内側横筒部３２は、第一内側板部３２１（図８参照。以下同じ。）と、第二内側板部３２２と、第三内側板部３２３と、第四内側板部３２４（図８参照。以下同じ。）と、を有している。第一内側板部３２１、第二内側板部３２２、第三内側板部３２３及び第四内側板部３２４は、それぞれ板状に形成されている。
【００６２】
第一内側板部３２１及び第二内側板部３２２は、板厚方向を屋内外方向に向けて配置されている。第二内側板部３２２は、第一内側板部３２１よりも屋内側に配置されている。
【００６３】
第三内側板部３２３及び第四内側板部３２４は、板厚方向を上下方向に向けて配置されている。第四内側板部３２４は、第三内側板部３２３よりも下方に配置されている。
【００６４】
図７は、図１のＤ−Ｄ線断面図である。
図７に示すように、内側横筒部３２の第一内側板部３２１、第二内側板部３２２、第三内側板部３２３及び第四内側板部３２４には、それぞれ外方に向かって突出する複数のリブ（第一リブ）３２ｒが設けられている。リブ３２ｒは、幅方向（内側横筒部３２の延在方向）に沿って延びている。
【００６５】
図８は、障子２の接合構造１０１を一部分解した状態を斜め下方から見た分解斜視図である。
図８に示すように、内側横筒部３２の第四内側板部３２４には、下方に向かって突出する係合突起（第一係合部）３２ａが形成されている。
【００６６】
縦側斜体部３３は、縦筒部３１の下端部と内側横筒部３２の幅方向の外側の端部との接合部３５に沿って設けられている。接合部３５は、平面視で、略矩形状をなしている。
【００６７】
縦側斜体部３３は、延在方向の外側（上端部では上方、下端部では下方）に向かうにしたがって次第に障子２の幅方向の外側に向かうように傾斜している。換言すると、縦側斜体部３３は、縦框２１及び横框２２の延在方向に対して傾斜して形成されている。
【００６８】
縦側斜体部３３は、縦屋外側傾斜板部３３１と、縦屋内側傾斜板部３３２と、第一傾斜板部３３３と、第二傾斜板部３３４と、を有している。
【００６９】
縦屋外側傾斜板部３３１、縦屋内側傾斜板部３３２、第一傾斜板部３３３及び第二傾斜板部３３４は、板状に形成されている。縦屋外側傾斜板部３３１、縦屋内側傾斜板部３３２、第一傾斜板部３３３及び第二傾斜板部３３４は、それぞれ下面が下方且つ幅方向の内側を向く方向に向けて配置されている。
【００７０】
縦屋外側傾斜板部３３１は、接合部３５の屋外側の辺に沿って配置されている。縦屋内側傾斜板部３３２は、接合部３５の屋内側の辺に沿って配置されている。
【００７１】
縦屋外側傾斜板部３３１及び縦屋内側傾斜板部３３２は、上方に向かうにしたがって次第に幅方向の内側を向かうように斜めに延びている。縦屋外側傾斜板部３３１及び縦屋内側傾斜板部３３２の上下端部は、縦筒部３１よりも突出している。
【００７２】
図５に示すように、縦屋外側傾斜板部３３１の屋外側の端部には、屋外側目隠し部（第二目隠し部）３３６が設けられている。屋外側目隠し部３３６は、縦屋外側傾斜板部３３１に直交して設けられている。屋外側目隠し部３３６は、縦屋外側傾斜板部３３１の延在方向にわたって設けられている。
【００７３】
縦屋外側傾斜板部３３１及び縦屋内側傾斜板部３３２には、縦筒部３１を挟んで両側に、上方に突出する上向き係合部３３７が設けられている。
【００７４】
図６に示すように、各上向き係合部３３７は、縦框２１に形成され上下方向に延びる溝部２１ｇに係合されている。
【００７５】
図８に示すように、第一傾斜板部３３３は、接合部３５の上側の辺に沿って配置されている。第一傾斜板部３３３は、縦屋外側傾斜板部３３１と縦屋内側傾斜板部３３２とを連結している。
【００７６】
第二傾斜板部３３４は、接合部３５の下側の辺に沿って配置されている。第二傾斜板部３３４は、縦屋外側傾斜板部３３１と縦屋内側傾斜板部３３２とを連結している。
【００７７】
次に、横ブロック４の構成について詳細に説明する。
図５に示すように、外側横筒部４１は、第一外側板部４１１と、第二外側板部４１２と、第三外側板部４１３と、第四外側板部４１４と、を有している。第一外側板部４１１、第二外側板部４１２、第三外側板部４１３及び第四外側板部４１４は、それぞれ板状に形成されている。
【００７８】
第一外側板部４１１及び第二外側板部４１２は、板厚方向を屋内外方向に向けて配置されている。第二外側板部４１２は、第一外側板部４１１よりも屋内側に配置されている。
【００７９】
第三外側板部４１３及び第四外側板部４１４は、板厚方向を上下方向に向けて配置されている。第四外側板部４１４は、第三外側板部４１３よりも下方に配置されている。
【００８０】
図７に示すように、外側横筒部４１の屋内外方向に沿う鉛直断面形状は、横框２２の横ホロー部２２ｓの屋内外方向に沿う鉛直断面形状よりも僅かに小さい。外側横筒部４１の屋内外方向に沿う鉛直断面形状は、縦ブロック３の内側横筒部３２の屋内外方向に沿う鉛直断面形状よりも僅かに大きい。
【００８１】
外側横筒部４１の第一外側板部４１１、第二外側板部４１２、第三外側板部４１３及び第四外側板部４１４には、それぞれ外方に向かって突出する複数のリブ４１ｒ（第二リブ）が設けられている。リブ４１ｒは、幅方向（外側横筒部４１の延在方向）に沿って延びている（図５参照）。
【００８２】
外側横筒部４１の各リブ４１ｒは、横框２２の横ホロー部２２ｓの対応する板部の内面に当接している。具体的には、第一外側板部４１１のリブ４１ｒは、屋外側横板部２２１における屋内側を向く面に当接している。第二外側板部４１２のリブ４１ｒは、屋内側横板部２２２における屋外側を向く面に当接している。第三外側板部４１３のリブ４１ｒは、第一連結横板部２２３における下方を向く面に当接している。第四外側板部４１４のリブ４１ｒは、第二連結横板部２２４における上方を向く面に当接している。
【００８３】
内側横筒部３２の各リブ３２ｒは、外側横筒部４１の対応する板部の内面に当接している。具体的には、第一内側板部３２１のリブ３２ｒは、第一外側板部４１１における屋内側を向く面に当接している。第二内側板部３２２のリブ３２ｒは、第二外側板部４１２における屋外側を向く面に当接している。第三内側板部３２３のリブ３２ｒは、第三外側板部４１３における下方を向く面に当接している。第四内側板部３２４のリブ３２ｒは、第四外側板部４１４における上方を向く面に当接している。
【００８４】
外側横筒部４１の第三外側板部４１３には、上方に向かって突出する係合突起（第二係合部）４１ａが形成されている。横框２２の第一連結横板部２２３には、上下方向に貫通する係合孔（第二係合孔）２２ｈが形成されている。外側横筒部４１の係合突起４１ａは、横框２２の係合孔２２ｈに係合されている。
【００８５】
図８に示すように、外側横筒部４１の第四外側板部４１４には、上下方向に貫通する係合孔４１ｈ（第一係合孔）が形成されている。縦ブロック３の内側横筒部３２の係合突起３２ａは、外側横筒部４１の係合孔４１ｈに係合されている。
【００８６】
図５に示すように、横側斜体部４２は、外側横筒部４１の幅方向の外側の端部に沿って設けられている。
【００８７】
横側斜体部４２は、幅方向の外側に向かうにしたがって次第に障子２の高さ方向（上下方向）の外側に向かうように傾斜している。換言すると、横側斜体部４２は、縦框２１及び横框２２の延在方向に対して傾斜して形成されている。
【００８８】
横側斜体部４２は、横屋外側傾斜板部４２１と、横屋内側傾斜板部４２２と、第一傾斜板部４２３と、第二傾斜板部４２４と、を有している。
【００８９】
横屋外側傾斜板部４２１、横屋内側傾斜板部４２２、第一傾斜板部４２３及び第二傾斜板部４２４は、板状に形成されている。横屋外側傾斜板部４２１、横屋内側傾斜板部４２２、第一傾斜板部４２３及び第二傾斜板部４２４は、それぞれ下面が下方且つ幅方向の内側を向く方向に向けて配置されている。
【００９０】
横屋外側傾斜板部４２１は、外側横筒部４１の幅方向の外側の端部の屋外側の辺に沿って配置されている。横屋内側傾斜板部４２２は、外側横筒部４１の幅方向の外側の端部の屋内側の辺に沿って配置されている。
【００９１】
横屋外側傾斜板部４２１及び横屋内側傾斜板部４２２は、上方に向かうにしたがって次第に幅方向の内側を向かうように斜めに延びている。横屋外側傾斜板部４２１及び横屋内側傾斜板部４２２の上下端部は、外側横筒部４１よりも突出している。
【００９２】
横屋内側傾斜板部４２２の屋外側の端部には、屋内側目隠し部（第一目隠し部）４２６が設けられている。屋内側目隠し部４２６は、横屋内側傾斜板部４２２に直交して設けられている。屋内側目隠し部４２６は、横屋内側傾斜板部４２２の延在方向にわたって設けられている。
【００９３】
図８に示すように、横屋外側傾斜板部４２１及び横屋内側傾斜板部４２２には、外側横筒部４１を挟んで両側に、幅方向の内側に向かって突出する内向き係合部４２７が設けられている。
【００９４】
図７に示すように、各内向き係合部４２７は、横框２２に形成され幅方向に延びる溝部２２ｇに係合されている。
【００９５】
図５に示すように、第一傾斜板部４２３は、外側横筒部４１の幅方向の外側の端部の上側の辺に沿って配置されている。第一傾斜板部４２３は、横屋外側傾斜板部４２１と横屋内側傾斜板部４２２とを連結している。
【００９６】
第二傾斜板部４２４は、外側横筒部４１の幅方向の外側の端部の下側の辺に沿って配置されている。第二傾斜板部４２４は、横屋外側傾斜板部４２１と横屋内側傾斜板部４２２とを連結している。
【００９７】
図４に示すように、縦框２１の下端部２１ｅと縦ブロック３の縦側斜体部３３の上面（上方且つ幅方向の外側を向く面）との間には、両面テープ５１が設けられている。両面テープ５１は、縦框２１の下端部２１ｅ及び縦側斜体部３３の上面の形状と略同一の形状をしている。両面テープ５１により、縦框２１の下端部２１ｅと縦側斜体部３３の上面とが接合されている。
【００９８】
縦ブロック３の縦側斜体部３３の下面（下方且つ幅方向の内側を向く面）と横ブロック４の横側斜体部４２の上面（上方且つ幅方向の外側を向く面）との間には、両面テープ５２が設けられている。両面テープ５２は、縦側斜体部３３の下面及び横側斜体部４２の上面の形状と略同一の形状をしている。両面テープ５２により、縦側斜体部３３の下面と横側斜体部４２の上面とが接合されている。
【００９９】
横ブロック４の横側斜体部４２の下面（下方且つ幅方向の内側を向く面）と横框２２の端部２２ｅとの間には、両面テープ５３が設けられている。両面テープ５３は、横側斜体部４２の上面及び横框２２の端部２２ｅの形状と略同一の形状をしている。両面テープ５３により、横側斜体部４２の上面と横框２２の端部２２ｅとが接合されている。
【０１００】
縦側斜体部３３及び横側斜体部４２は、縦框２１と横框２２との境界部２３に配置されている。図１に示すように、横側斜体部４２の屋内側目隠し部４２６は、框体２０の屋内側の見付け面上に配置されている。屋内側目隠し部４２６は、境界部２３の屋内側を覆っている。同様に、縦側斜体部３３の屋外側目隠し部３３６は、框体２０の屋外側の見付け面上に配置されている。屋外側目隠し部３３６は、境界部２３の屋外側を覆っている。
【０１０１】
次に、縦框２１と横框２２との接合構造１０１の施工方法について説明する。
縦框２１の下端部２１ｅに、両面テープ５１を貼り付ける。縦框２１の縦ホロー部２１ｓに、縦ブロック３を下方から上方に挿入する。縦ブロック３の全周に設けられたリブ３１ｒに案内されて、縦ブロック３は上方に移動していく。
【０１０２】
縦ブロック３の係合突起３１ａが縦框２１の係合孔２１ｈに係合すると、縦ブロック３は縦框２１に対して位置決めされる。
【０１０３】
縦ブロック３の縦側斜体部３３は、縦框２１の下端部２１ｅに設けられた両面テープ５１に貼り付けられる。縦框２１と縦ブロック３とが、接合される。
【０１０４】
同様に、横框２２の端部２２ｅに、両面テープ５３を貼り付ける。横框２２の横ホロー部２２ｓに、横ブロック４を幅方向の外側から内側に挿入する。横ブロック４の全周に設けられたリブ４１ｒに案内されて、横ブロック４は幅方向の内側に移動していく。
【０１０５】
横ブロック４の係合突起４１ａが横框２２の係合孔２２ｈに係合すると、横ブロック４は横框２２に対して位置決めされる。
【０１０６】
横ブロック４の横側斜体部４２は、横框２２の端部に設けられた両面テープ５３に貼り付けられる。横框２２と横ブロック４とが、接合される。
【０１０７】
縦ブロック３の縦側斜体部３３及び横ブロック４の横側斜体部４２のいずれか一方に、両面テープ５２を貼り付ける。横框２２に設けられた横ブロック４の外側横筒部４１に、縦框２１に設けられた縦ブロック３の内側横筒部３２を挿入するように、縦框２１の下端部２１ｅと横框２２の端部２２ｅとを近接させていく。内側横筒部３２の全周に設けられたリブ３２ｒに案内されて、内側横筒部３２は外側横筒部４１の内部に進入していく。
【０１０８】
内側横筒部３２の係合突起３２ａが外側横筒部４１の係合孔４１ｈに係合すると、内側横筒部３２と外側横筒部４１との相対的な位置が決められる。
【０１０９】
縦側斜体部３３及び横側斜体部４２のいずれか一方に設けられた両面テープ５２に、縦側斜体部３３及び横側斜体部４２の他方が貼り付けられる（図９参照）。縦框２１に設けられた縦ブロック３と横框２２に設けられた横ブロック４とが、接合される。これにより、縦框２１と横框２２とが接合される。
【０１１０】
なお、両面テープ５１，５３と併用して、縦框２１の係合孔２１ｈ及び横框２２の係合孔２２ｈから接着剤（不図示。以下同じ。）を注入して、接着剤により縦框２１と縦ブロック３とを接合し、横框２２と横ブロック４とを接合してもよい。
【０１１１】
このように構成された引違いサッシ１００では、横框２２の横ホロー部２２ｓに内嵌された横ブロック４に、縦框２１の縦ホロー部２１ｓに内嵌された縦ブロック３の内側横筒部３２を内嵌されている。横ブロック４に内側横筒部３２を内嵌する際に、内側横筒部３２を横ブロック４のブロック空間部４１ｓに挿入するだけでよいため、施工がしやすい。さらに、内側横筒部３２は横ブロック４に案内されるため、横ブロック４と縦ブロック３との間での位置決めがしやすい。
【０１１２】
また、横ブロック４と縦ブロック３とは、両面テープ５２で接合されている。よって、横ブロック４と縦ブロック３との接合位置の位置ずれがなく、横ブロック４と縦ブロック３との接合強度を高めることができる。
【０１１３】
また、横框２２と横ブロック４とは、両面テープ５３で接合されている。縦框２１と縦ブロック３とは、両面テープ５１で接合されている。よって、横框２２と横ブロック４との接合位置の位置ずれがないとともに、縦框２１と縦ブロック３との接合位置の位置ずれがない。したがって、框体２０とコーナーブロック６との接合強度を高めることができる。
【０１１４】
また、内側横筒部３２の外面に設けられた係合突起３２ａは、横ブロック４に形成された係合孔４１ｈに係合されている。よって、横ブロック４と縦ブロック３との間での位置ずれを抑制することができるともに、横ブロック４と縦ブロック３とを容易に接合することができる。
【０１１５】
また、横ブロック４の外面に設けられた係合突起４１ａは、横框２２に形成された係合孔２２ｈに係合されている。縦ブロック３の外面に設けられた係合突起３１ａは、縦框２１に形成された係合孔２１ｈに係合されている。よって、コーナーブロック６と框体２０との間での位置ずれを抑制することができるともに、コーナーブロック６と框体２０とを容易に接合することができる。
【０１１６】
また、横ブロック４の屋内側目隠し部４２６及び縦ブロック３の屋外側目隠し部３３６により、屋外側の面及び屋内側の面における境界部２３の隙間を隠すことができる。よって、縦框２１と横框２２との境界部２３の外観を向上させることができるとともに、境界部２３からの雨水の浸入を抑制することができる。
【０１１７】
また、框体２０の屋外側の見付け面の外観と屋内側の見付け面の外観とが異なる場合には、屋内側目隠し部４２６の外観を框体２０の屋内側の外観に合わせて、屋外側目隠し部３３６の外観を框体２０の屋外側の外観に合わせればよい。これにより、框体２０の屋内外で外観が異なる場合にも、屋内側目隠し部４２６及び屋外側目隠し部３３６の外観を框体２０の外観に合わせて、外観の統一性を高めることができる。
【０１１８】
また、内側横筒部３２の外面に設けられたリブ３２ｒは、横ブロック４の内面に当接している。よって、横ブロック４の内側横筒部３２が縦ブロック３の内部でがたついたり、捩れたりすることが抑制される。
【０１１９】
また、縦ブロック３の縦筒部３１の外面及び横ブロック４の外側横筒部４１の外面の外面に設けられたリブ３１ｒ，４１ｒは、框体２０の内面に当接している。よって、縦框２１の縦ホロー部２１ｓ及び横框２２の横ホロー部２２ｓの寸法精度が良くないような場合でも、縦筒部３１及び外側横筒部４１の全周に設けられたリブ３１ｒ，４１ｒにより、縦筒部３１及び外側横筒部４１が框体２０の内部でがたついたり、捩れたりすることが抑制される。
【０１２０】
また、縦框２１と横框２２とを、溶着によらず、両面テープ５１，５２，５３で接合することができるため、簡易に組み立てる（製造）することができる。
【０１２１】
また、框体２０とコーナーブロック６との接合において、両面テープ５１，５３と接着剤とを併用すると、框体２０とコーナーブロック６との接合強度が一層高くなる。
【０１２２】
また、両面テープ５１を介して接合される縦框２１の下端部２１ｅ及び縦ブロック３の縦側斜体部３３は、縦框２１及び横框２２の延在方向に対して傾斜して形成されている。両面テープ５３を介して接合される横框２２の端部２２ｅ及び横ブロック４の横側斜体部４２は、縦框２１及び横框２２の延在方向に対して傾斜して形成されている。縦ブロック３の縦側斜体部３３と横ブロック４の横側斜体部４２とは、両面テープ５２を介して接合されている。よって、縦框２１と縦ブロック３との接合面積、縦ブロック３と横ブロック４との接合面積及び横ブロック４と横框２２との接合面積を大きくすることができるため、縦框２１と縦ブロック３との接着強度、縦ブロック３と横ブロック４との接着強度及び横ブロック４と横框２２との接着強度を高めることができる。
【０１２３】
（変形例）
【０１２４】
以下、本発明の一実施形態の変形例に係る障子について、主に図１０から図１４を用いて説明する。
上記に示す実施形態では、障子２の框体２０は金属材料で構成されているのに対して、本変形例に係る障子２の框体２０Ｘは樹脂材料で構成されている。
下記に示す変形例の説明及び図１０から図１４において、前述した部材と同一の部材には同一の符号を付して、その説明を省略する。また、前述した部材と材料が違うが構成が同じ部材には符号の最後にＸを付して、その説明を省略する。
【０１２５】
図１０に示すように、本変形例では、縦框２１Ｘでは、屋内側の板部２１６Ｘの幅方向の内側の端部は、屋外側の板部２１７Ｘの幅方向の内側の端部よりも、幅方向の外側に位置している。
【０１２６】
横框２２Ｘでは、屋内側の板部２２６Ｘの上端部は、屋外側の板部２２７Ｘの上端部よりも、下方に位置している。
【０１２７】
縦框２１Ｘの屋内側の板部２１６Ｘ及び横框２２Ｘの屋内側の板部２２６Ｘとガラス２９（図１参照。以下同じ。）の周端部との間には、押縁（不図示。以下同じ。）が設けられている。
【０１２８】
本変形例においても、横框２２Ｘの横ホロー部２２ｓに内嵌された横ブロック４に、縦框２１Ｘの縦ホロー部２１ｓに内嵌された縦ブロック３の内側横筒部３２を内嵌されている。横ブロック４に内側横筒部３２を内嵌する際に、内側横筒部３２を横ブロック４のブロック空間部４１ｓに挿入するだけでよいため、施工がしやすい。さらに、内側横筒部３２は横ブロック４に案内されるため、横ブロック４と縦ブロック３との間での位置決めがしやすい。
【０１２９】
また、横ブロック４と縦ブロック３とは、両面テープ５２で接合されている。よって、横ブロック４と縦ブロック３との接合位置の位置ずれがなく、横ブロック４と縦ブロック３との接合強度を高めることができる。
【０１３０】
なお、上述した実施の形態において示した各構成部材の諸形状や組み合わせ等は一例であって、本発明の主旨から逸脱しない範囲において設計要求等に基づき種々変更可能である。
【０１３１】
例えば、上記に示す実施形態では、横框２２に設けられた第一ブロックに、縦框２１に設けられた第二ブロックが内嵌される構成であるが、本発明はこれに限られず、縦框２１に設けられた第一ブロックに、横框２２に設けられた第二ブロックが内嵌される構成であってもよい。
【０１３２】
また、上記に示す実施形態では、縦ブロック３と横ブロック４との接合、及び框体２０とコーナーブロック６との接合には、両面テープ５１，５２，５３が使用されているが、両面テープ５１，５２，５３に替えて接着剤で接合してもよい。
【０１３３】
また、上記に示す実施形態では、縦ブロック３には屋外側の見付け面に沿って配置される屋外側目隠し部３３６が設けられ、横ブロック４には屋内側の見付け面に沿って配置される屋内側目隠し部４２６が設けられているが、本発明はこれに限られない。縦ブロック３には、屋内側の見付け面に沿って配置される屋内側目隠し部が設けられ、横ブロック４には屋外側の見付け面に沿って配置される屋外側目隠し部が設けられていてもよい。あるいは、屋外側目隠し部及び屋内側目隠し部が設けられていなくてもよい。
【０１３４】
また、上記に示す実施形態では、縦框２１及び横框２２の長手方向（延在方向）の略全長にわたって中空部が形成されているが、本発明にこれに限られない。例えば、中空部を有する部品を端部に設け端部以外は中実の縦框及び横框を用いるなど、中空部が長手方向の端部にのみ形成されていてもよい。
【符号の説明】
【０１３５】
１…枠体
２…障子
２Ａ…外障子
２Ｂ…内障子
３…縦ブロック（第二ブロック部材）
４…横ブロック（第一ブロック部材）
５１，５３…両面テープ（ブロック框間接合手段）
５２…両面テープ（ブロック間接合手段）
２０…框体
２１…縦框
２１ｓ…縦ホロー部（中空部）
２１ｈ…係合孔（第二係合孔）
２２…横框
２２ｈ…係合孔（第二係合孔）
２２ｓ…横ホロー部（中空部）
２３…境界部
２９…ガラス（パネル材）
３１…縦筒部（框側嵌合部）
３１ａ係合突起…（第二係合部）
３１ｒ…リブ（第二リブ）
３２…内側横筒部（ブロック側嵌合部）
３２ａ…係合突起（第一係合部）
３２ｒ…リブ（第一リブ）
３３…縦側斜体部
４１…外側横筒部
４１ａ…係合突起（第二係合部）
４１ｈ…係合孔（第一係合孔）
４１ｒ…リブ（第二リブ）
４１ｓ…ブロック空間部（中空部）
４２…横側斜体部
３３６…屋外側目隠し部（第二目隠し部）
４２６…屋内側目隠し部（第一目隠し部）
１００…引違いサッシ（建具）
１０１…接合構造
【図１】
2020200668.tif 000003
【図２】
2020200668.tif 000004
【図３】
2020200668.tif 000005
【図４】
2020200668.tif 000006
【図５】
2020200668.tif 000007
【図６】
2020200668.tif 000008
【図７】
2020200668.tif 000009
【図８】
2020200668.tif 000010
【図９】
2020200668.tif 000011
【図１０】
2020200668.tif 000012
【図１１】
2020200668.tif 000013
【図１２】
2020200668.tif 000014
【図１３】
2020200668.tif 000015
【図１４】
2020200668.tif 000016